(57)【要約】【課題】スクリーン全体を観て音声や画像を楽しむだけでなく、ユーザが触れた箇所に対して異なる音声や画像を出力することができるスピーカ装置を提供すること。また、接続される外部機器を管理できるような多様性を兼ね備えたスピーカ装置を提供すること。【解決手段】振動板と、振動板を駆動する複数の駆動部９と、振動板に重畳して設置されるタッチパネルと、タッチパネルへの接触を検出したとき、複数の駆動部９のうち、検出した位置に対応する駆動部９を駆動させるよう制御を行う制御部４１と、を備えることを特徴とする。【選択図】図６
2011123696.tif 000002
【特許請求の範囲】
【請求項１】
振動板と、
上記振動板を駆動する複数の駆動部と、
上記振動板に重畳して設置されるタッチパネルと、
上記タッチパネルへの接触を検出したとき、上記複数の駆動部のうち、検出した位置に対応する上記駆動部を駆動させるよう制御を行う制御部と、
を備えることを特徴とするスピーカ装置。
【請求項２】
請求項１記載のスピーカ装置において、
前記制御部は、前記タッチパネルにより検出された接触位置に対応して異なる音声信号を用いて前記駆動部を駆動させることを特徴とするスピーカ装置。
【請求項３】
請求項２記載のスピーカ装置において、
前記振動板は、映像を表示する表示部を構成しており、
上記表示部は、前記タッチパネルに重畳して設置され、
前記制御部は、前記タッチパネルにより検出された接触位置に対応した異なる音声信号と対応した映像を、上記表示部に表示させることを特徴とするスピーカ装置。
【請求項４】
請求項３記載のスピーカ装置において、
前記制御部は、前記音声信号に対応した映像を、前記表示部における前記駆動部に対応した位置に表示することを特徴とするスピーカ装置。
【請求項５】
請求項１から４のいずれか１項記載のスピーカ装置において、
異なる音声信号を用いて駆動される前記駆動部は単数もしくは複数備えられていることを特徴とするスピーカ装置。
【請求項６】
請求項１から５のいずれか１記載のスピーカ装置において、
前記駆動部のそれぞれを別個に駆動させるチャンネルが設けられており、該チャンネルの動作は前記制御部によって制御されていることを特徴とするスピーカ装置。
【請求項７】
請求項１から６のいずれか１項記載のスピーカ装置において、
前記スピーカ装置の外部には、該スピーカ装置と通信可能な単数もしくは複数の外部機器が設置されており、該外部機器は、異なる音声信号を用いて駆動される前記駆動部と対応した前記タッチパネルの接触位置と対応づけられており、上記外部機器と対応する前記接触位置が外部からの接触を受けると、前記スピーカ装置と上記外部機器との間の通信を制御する通信制御部の制御により、該外部機器の状態に応じて前記接触位置が異なる動作を行うように設定されていることを特徴とするスピーカ装置。
【請求項８】
請求項７記載のスピーカ装置において、
前記接触位置が外部から接触を受けると、前記通信制御部の制御により、該接触を受けた接触位置に対応する前記外部機器と前記スピーカ装置との間で情報の送受信が行われ、前記対応する外部機器の状態に応じた前記接触位置の動作に基づいて、前記外部機器の状態が判別されること特徴とするスピーカ装置。
【請求項９】
請求項７または８記載のスピーカ装置において、
前記接触位置が外部から接触を受けると、接触を受けた接触位置は前記対応する外部機器から送信される情報に基づいて振動し、当該対応する接触位置の振動状態に基づいて前記外部機器の状態を判別することを特徴とするスピーカ装置。
【発明の詳細な説明】
【技術分野】
【０００１】
本発明は、スピーカ装置に関する。
【背景技術】
【０００２】
従来から、スクリーンにプロジェクタからの映像を映し出し、当該映像の動きに合わせて画面全体から音声を出力させる直接駆動型のスピーカ装置が知られている（特許文献１参照）。また、画面上においてユーザの指等が接触した位置を特定し、その特定した位置に適した情報を出力できるように、液晶表示装置の表面にタッチパネルを装着したスピーカ装置も知られている（特許文献２参照）。
【先行技術文献】
【特許文献】
【０００３】
【特許文献１】特開２００６−３３９９９６号公報（発明の詳細な説明）
【特許文献２】特開２００７−０６６３０６号公報（発明の詳細な説明）
【発明の概要】
【発明が解決しようとする課題】
【０００４】
ここで、特許文献１に開示されているスピーカ装置は、該スピーカ装置を複数の領域に分割し、その各領域に配置される駆動体の駆動により音声を出力するという構成を有している。しかしながら、ユーザはスピーカ装置のどの位置から音声が出力されているのかを認識しづらいものとなっている。
【０００５】
また、特許文献２に開示されているスピーカ装置においては、タッチパネルに触れると、その触れた位置に適した周波数の音声がタッチパネル全体から出力される。しかしながら、タッチパネルから出力される音声の内容が同じものであるため、ユーザは音声が出力されている位置を認識しづらいものとなっている。
【０００６】
さらに、特許文献２に開示されているスピーカ装置は、外部機器と接続されて使用されることが少なくない。この場合、外部機器の状態を把握するためには、外部機器毎においてその状態を確認しなければならない。したがって、外部機器を含むスピーカ装置を管理するのに手間がかかってしまう。
【０００７】
本発明は、かかる問題に鑑みてなされたものであり、その目的とするところは、スクリーン全体を観て音声や画像を楽しむだけでなく、ユーザが触れた箇所に対して異なる音声や画像を出力することができるスピーカ装置を提供しようとするものである。もしくは、接続される外部機器を管理できるような多様性を兼ね備えたスピーカ装置を提供しようとするものである。
【課題を解決するための手段】
【０００８】
上記課題を解決するために、本発明の一側面は、振動板と、振動板を駆動する複数の駆動部と、振動板に重畳して設置されるタッチパネルと、タッチパネルへの接触を検出したとき、複数の駆動部のうち、検出した位置に対応する駆動部を駆動させるよう制御を行う制御部と、を備えるものである。
【０００９】
また、制御部は、タッチパネルにより検出された接触位置に対応して異なる音声信号を用いて駆動部を駆動させることが好ましい。
【００１０】
また、振動板は、映像を表示する表示部を構成しており、表示部は、タッチパネルに重畳して設置され、制御部は、タッチパネルにより検出された接触位置に対応した異なる音声信号と対応した映像を、表示部に表示させることが好ましい。
【００１１】
また、制御部は、音声信号に対応した映像を、表示部における駆動部に対応した位置に表示することが好ましい。
【００１２】
また、異なる音声信号を用いて駆動される駆動部は単数もしくは複数備えられていることが好ましい。
【００１３】
また、駆動部のそれぞれを別個に駆動させるチャンネルが設けられており、該チャンネルの動作は制御部によって制御されていることが好ましい。
【００１４】
また、スピーカ装置の外部には、該スピーカ装置と通信可能な単数もしくは複数の外部機器が設置されており、該外部機器は、異なる音声信号を用いて駆動される駆動部と対応したタッチパネルの接触位置と対応づけられており、外部機器と対応する接触位置が外部からの接触を受けると、スピーカ装置と外部機器との間の通信を制御する通信制御部の制御により、該外部機器の状態に応じて接触位置が異なる動作を行うように設定されていることが好ましい。
【００１５】
また、接触位置が外部から接触を受けると、通信制御部の制御により、該接触を受けた接触位置に対応する外部機器とスピーカ装置との間で情報の送受信が行われ、対応する外部機器の状態に応じた接触位置の動作に基づいて、外部機器の状態が判別されることが好ましい。
【００１６】
また、接触位置が外部から接触を受けると、接触を受けた接触位置は対応する外部機器から送信される情報に基づいて振動し、当該対応する接触位置の振動状態に基づいて外部機器の状態を判別することが好ましい。
【発明の効果】
【００１７】
本発明によると、スクリーン全体を観て音声や画像を楽しむだけでなく、ユーザが触れた箇所に対して異なる音声や画像を出力することができるスピーカ装置を提供することができる。また、接続される外部機器を管理できるような多様性を兼ね備えたスピーカ装置を提供することができる。
【図面の簡単な説明】
【００１８】
【図１】本発明の一実施の形態に係るのスピーカ装置の分解斜視図である。
【図２】図１中のスピーカ装置を組み立てた状態でＡ−Ａ線で切断した概略断面図である。
【図３】本発明の一実施の形態に係るスピーカ装置の斜視図である。
【図４】図１中の液晶パネルユニットの側断面図である。
【図５】本発明の一実施の形態に係るスピーカ装置と通信可能な外部機器の状態を把握する方法を示す図であり、上段は振動部が大きな振動数で振動し外部機器が良好な状態であることを示す図であり、下段は振動部が小さな振動数で振動し外部機器が良好な状態でないことを示す図である。
【図６】本発明の一実施の形態に係るスピーカ装置および外部機器の駆動システムの構成を示す図である。
【図７】本発明の変形例を示す図であり、斜線によって区分された振動部を有するスピーカ装置を示す図である。
【図８】本発明の変形例を示す図であり、液晶パネルユニットの左右両側から中央に向かって径の異なる円弧にて区分された振動部を有するスピーカ装置を示す図である。
【図９】本発明の変形例を示す図であり、上下方向に沿う直線にて区分された振動部を有するスピーカ装置を示す図である。
【図１０】本発明の変形例を示す図であり、画像の移動に合わせて振動部から音声を出力させる場合の構成を説明するための図である。
【図１１】本発明の変形例を示す図であり、離れている複数の振動部から同時に音声を出力させる場合の構成を説明するための図である。
【図１２】本発明の変形例を示す図であり、スピーカ装置を２つ並べて配置させ、一方のスピーカ装置の振動部の振動状態によって対応する他方の振動部の状態を把握する場合の構成を説明するため図である。
【図１３】本発明の変形例を示す図であり、４つのスピーカ装置を接合させた大型のスピーカ装置の構成を示す図である。
【発明を実施するための形態】
【００１９】
以下、本発明の一実施の形態に係るスピーカ装置１の構成について、図面を参照しながら説明する。なお、以下の説明において、図１〜図５および図７〜図１３に示す矢示Ｘ１方向を表、矢示Ｘ２方向を裏、Ｘ１方向とＸ２方向の両方向に対し水平方向で直交する方向となる矢示Ｙ１方向を左、矢示Ｙ２方向を右、ＸＹ平面と直交する方向となる矢示Ｚ１方向を上および矢示Ｚ２方向を下とそれぞれ規定する。
【００２０】
図１は、スピーカ装置１の分解斜視図である。図２は、スピーカ装置１を組み立てた状態でＡ−Ａ線で切断した概略断面図である。図３は、スピーカ装置１の斜視図である
【００２１】
スピーカ装置１は、直接駆動型のスピーカ装置であり、図１および図３に示すように、画像が表示される平面状の液晶パネルユニット２と、液晶パネルユニット２を支持する支持体となるフレーム３と、液晶パネルユニット２を振動させる駆動部９（図２参照）と、フレーム３をさらに裏側から支持する裏板４と、から主に構成されている。なお、本実施の形態では、スピーカ装置１の寸法例として、縦幅８９５ｍｍ、横幅１６８２ｍｍおよび厚さ３５ｍｍを外形とするものが挙げられる。
【００２２】
フレーム３は、図１に示すように、長方形の形状を有する枠部材となる枠体５と、その枠体５の内側に長方形の短手方向に沿って配置される仕切り６とから構成されている。このように枠体５は長方形の枠形状を有しているため、枠体５の内側には表側から見て略矩形状に開口する開口部７が形成される。なお、枠体５の縦幅および横幅は、スピーカ装置１の縦幅および横幅と略同一となっている。また、枠体５および仕切り６の材料として、アルミニウム合金が採用されている。しかしながら、枠体５および仕切り６の材料は、アルミニウム合金に限定されるものではない。
【００２３】
枠体５は、図１に示すように、当該枠体５の長手方向を構成する２つの長手側枠５ａ，５ａと、枠体５の短手方向を構成する２つの短手側枠５ｂ，５ｂとから構成されている。仕切り６は、上述したように、枠体５の内側に短手方向に沿って２本配置され、開口部７を長手方向に沿って等間隔に３分割している。これにより、フレーム３内には、左右および中央のそれぞれに３つに分割された分割領域８が形成される。また、仕切り６の両端の端面は共に、長手側枠５ａにたとえばネジ止め等の方法により接合されており、フレーム３の強度を向上させる役割を果たしている。
【００２４】
また、各分割領域８内には、フレーム３の長手方向に沿って複数の支柱１０が配置されている。支柱１０は、各分割領域８内に、たとえば、上下方向に亘って合計８つ（図１においては２つのみ図示するものとする。）配置されている。支柱１０は、上下方向に幅広な角柱形状（すなわち、薄板に近い柱形状）を有している。また、支柱１０の両端の端面は、短手側枠５ｂおよび仕切り６にたとえばネジ止め等の方法により接合されている。また、本実施の形態では、支柱１０の材料として、アルミニウム合金が採用されている。しかしながら、支柱１０の材料はアルミニウム合金に限定されるものではない。
【００２５】
図１に示すように、各支柱１０の表側には、駆動部９の一部を構成する磁気回路１１が配設される。この磁気回路１１は、フレーム３内に複数（たとえば、合計９６個）配置される（図１および図２においては２つのみ図示するものとする。）。磁気回路１１は、ホルダ（不図示）と、マグネット（不図示）から構成されている。また、液晶パネルユニット２の裏側には駆動部９の一部を構成するボイスコイル１２が配置されている（図２参照）。
【００２６】
具体的には、ボイスコイル１２は、液晶パネルユニット２の裏面における磁気回路１１と対応する位置に、該磁気回路１１に形成される不図示の磁気ギャップに嵌まり込むように配置されている（図２参照）。すなわち、ボイスコイル１２は、液晶パネルユニット２の裏面に複数（たとえば、合計９６個）配置されている（図２においては２つのみ図示するものとする。）。当該ボイスコイル１２は、所定の寸法のコイルボビンに、コイル線を巻きつけることにより形成されている。このボイスコイル１２は磁気回路１１と協働して液晶パネルユニット２を振動させる。
【００２７】
裏板４は、図１に示すように、フレーム３の裏側に配置される。この裏板４は、平板状の板部４ａと、該板部４ａの外周部に固定される四角枠状の枠部４ｂとを有する。裏板４をフレーム３の裏側に装着することにより、駆動部９が液晶パネルユニット２とで狭持されて、フレーム３内に確実に保持される（図２参照）。すなわち、駆動部９を板部４ａに固定することにより、該駆動部９をフレーム３内に確実に保持することができる。
【００２８】
液晶パネルユニット２は、表示画面１４に表示された文字や画像に接触した人の手または物体を検知し、その位置に対応する情報を出力する装置である。図３に示すように、液晶パネルユニット２は略矩形状の形態を有すると共に、後述するような積層構造を有している。また、液晶パネルユニット２には、接触位置を検出するために電気的に接続される不図示の回路基板が設けられると共に、外部からの画像信号の受信に基づいて振動板に対応する表示部の一例となる液晶表示部２１を駆動させるための不図示のドライバが設けられている。この液晶パネルユニット２は、図１および図３中の破線で示すように、格子状に合計９６個の領域に区分された接触位置の一例である振動部１５を有する。駆動部９は各振動部１５に対応するように配置されており、液晶パネルユニット２は各振動部１５毎に別個に駆動できるような構成とされている。そして、表示画面１４上の１つまたは複数の振動部１５に手で触れると、その触れられた振動部１５に対応する駆動部９が振動し該振動部１５から音声が出力される。具体的には、表示画面１４に人の指等が触れると、その触れた位置（振動部１５）に応じた信号が、液晶パネルユニット２に接続される不図示の回路基板を介して後述する信号処理部４５に送信され、その結果、触れられた振動部１５から音声が出力される。なお、ユーザが各振動部１５を認識できるように、予め、各振動部１５に種々の画像を表示しておくのが好ましい。
【００２９】
液晶パネルユニット２は、その外周面が、枠体５の開口部７内に嵌まるように、フレーム３に取り付けられる。すなわち、液晶パネルユニット２の外周部は、枠体５からはみ出すことなく、フレーム３に取り付けられる。該液晶パネルユニット２は、枠体５および仕切り６との間に接着剤を介在させて固定される。なお、本実施の形態では、液晶パネルユニット２の寸法例として、たとえば、縦幅８８５ｍｍ、横幅１６７２ｍｍおよび厚さ２ｍｍのものを挙げることができる。すなわち、枠体５の上下方向および左右方向の寸法よりもそれぞれ１０ｍｍだけ小さなものとなっている。また、液晶パネルユニット２の厚さは振動特性・反射特性を考慮して、それらに最適な材料を選択可能である。
【００３０】
図４は液晶パネルユニット２の側断面図である。
【００３１】
図４に示すように、液晶パネルユニット２は、ユーザが触れた位置を特定するためのタッチパネルの一例となるタッチパネル部２０と、液晶画像を表示するための液晶表示部２１とを有する。タッチパネル部２０は、液晶表示部２１の表側に配置される。液晶表示部２１には上述した不図示のドライバが接続されている。液晶表示部２１は、画像信号に基づいて不図示のドライバを介して駆動され、その駆動により画像信号に対応する画像が液晶画面２２に表示される。
【００３２】
タッチパネル部２０は、第１支持基板２３と、第２支持基板２４と、第１透明電極２５と、第２透明電極２６と、媒質層２７を有する。第１支持基板２３および第２支持基板２４は、たとえば反射特性を有するプラスチックから形成することができる。しかしながら、第１支持基板２３および第２支持基板２４の材料はプラスチックに限定されるものではなく、種々の振動特性・反射特性を考慮して、たとえば、光学フィルムもしくは偏光板等の最適な材料を選択可能である。
【００３３】
第１支持基板２３はタッチパネル部２０における最も裏側（液晶表示部２１の表側）に配置されると共に、第２支持基板２４はタッチパネル部２０における最も表側に配置される。また、第１支持基板２３と第２支持基板２４とは所定の間隔を隔てて互いに対向配置されている。第１透明電極２５は、第１支持基板２３の表側に、該第１支持基板２３を覆うように配置されている。また、第２透明電極２６は、第２支持基板２４の裏側に、該第２支持基板２４を覆うように配置されている。媒質層２７は、第１透明電極２５と第２透明電極２６との間の領域に配置されている。すなわち、第２透明電極２６は、その裏側に配置されている媒質層２７を隔てて第１透明電極２５と対向している。
【００３４】
第１透明電極２５および第２透明電極２６は、いずれも、光学的に透明で、かつ導電性に優れた物質から形成されている。ここで、第１透明電極２５および第２透明電極２６は、たとえば、酸化インジウムスズ（ＩＴＯ）または透明電極材料（ＩＺＯ）から形成されるのが好ましい。また、第１透明電極２５および第２透明電極２６は上述した不図示の回路基板に接続されている。
【００３５】
媒質層２７は、第１透明電極２５と第２透明電極２６との間を絶縁している。媒質層２７は支持部２８および空気層２９を含むのが好ましい。支持部２８は、スペーサ散乱法により第１透明電極２５の表面に散布させたスペーサから形成するのが好ましい。なお、支持部２８を、第１透明電極２５の表面に形成された感光膜のパターンから形成しても良い。この場合、第１透明電極２５の表面に感光膜を塗布した後に、該塗膜に紫外線を照射し、もしくは、該塗膜に金型を押しつけて感光膜をパターニングするのが好ましい。
【００３６】
支持部２８は第１透明電極２５と第２透明電極２６との間隔を所定の閾値（好ましくは２０μｍ）以上に保持している。空気層２９は液晶パネルユニット２が振動する際の振動を効果的に増幅するという役割を果たす。支持部２８と空気層２９とは適度な弾性を維持している。したがって、２つの支持基板２３，２４のいずれかの外面にユーザの指が触れると、その接触部分において媒質層２７が凹み、指から受ける押圧力が緩和されながら第１透明電極２５と第２透明電極２６とが適度な圧力で接触する。さらに、指が支持基板２３，２４のいずれかから離れると、媒質層２７は元の形状に戻る。すなわち、第１透明電極２５と第２透明電極２３は離間し、非接触の状態となる。
【００３７】
タッチパネル部２０では、第１透明電極２５、媒質層２７および第２透明電極２６の作用によりユーザの指の触れた位置が特定される。第２透明電極２６には上述した不図示の回路基板を介して一定の基準電圧が印加される。また、第１透明電極２５にも、不図示の回路基板を介して基準電圧とは異なる値で一定の第２電圧が印加される。そして、２つの支持基板２３，２４のいずれかの外面にユーザの指が触れると、その接触部分において媒質層２７が凹み、第１透明電極２５と第２透明電極２６とが接触して短絡する。第１透明電極２５と第２透明電極２６とが短絡すると、その短絡位置に応じた電流が不図示の回路基板に流れる。このため、ユーザの指が支持基板２３，２４に触れた際に、不図示の回路基板に流れる電流の量から、第１透明電極２５と第２透明電極２６との間での分圧比の変化が検出され、その検出値に基づき、２つの透明電極２５，２６の接触した位置、すなわちユーザの指が触れた位置が特定される。
【００３８】
図５は、スピーカ装置１と通信可能な外部機器３０の状態を把握する方法を示す図であり、上段は振動部１５が大きな振動数で振動し外部機器３０（図６参照）が良好な状態であることを示す図であり、下段は振動部１５が小さな振動数で振動し外部機器３０が良好な状態でないことを示す図である。
【００３９】
上述したように、液晶パネルユニット２のタッチパネル部２０においてユーザの指が触れた位置が特定されると、分圧の検出値に応じた検出信号が後述する信号処理部４５に送信され、ユーザの指が触れた位置に対応する振動部１５から音声が発生する。すなわち、ユーザが液晶パネルユニット２に触れると、ユーザによって触れられた振動部１５に対応する駆動部９が駆動され、音声が発生する。また、単数または複数のユーザが複数の振動部１５に同時に触れると、同時に触れられた各振動部１５からその振動部１５に対応する音声が出力される。すなわち、複数の振動部１５から異なる音声が出力されることになる。
【００４０】
なお、後述する駆動システム４０の制御により、各振動部１５から同一の音声が出力される一般的なスピーカ装置として使用することも可能である。このように、スピーカ装置１を一般的なスピーカ装置として使用している最中に、ユーザが液晶パネルユニット２に触れると、その触れられた振動部１５のみから音声が出力するように制御することも可能である。また、ユーザによって触れられた振動部１５に対応する駆動部９を大きく振動させて、当該振動部１５から大きな音声を出力させるように制御することも可能である。さらに、ユーザが触れた振動部１５と他の振動部１５から同時に音声を出力するように制御することも可能である。
【００４１】
液晶パネルユニット２の各振動部１５には、予めユーザが各振動部１５を把握できるように、振動部１５毎に、たとえば、異なる画像を表示しておくのが好ましい。たとえば、液晶パネルユニット２上の各振動部１５に異なる画像を表示しておき、ユーザが各振動部１５に触れると、その振動部１５に表示されている画像に相当する音声が出力されるように設定しておけば、複数のユーザが同時に種々音楽を楽しむことができる。なお、全ての振動部１５に予め画像を表示しておくことに限定されるものではなく、たとえば、特定の振動部１５のみに予め画像を表示しておくようにしても良い。また、ユーザが各振動部１５を把握できるように、振動部１５を区分する格子状の区分線を予め液晶パネルユニット２上に表示しておくようにしても良い。
【００４２】
本実施の形態に係るスピーカ装置１は、たとえば、アンプ、スピーカ、パーソナルコンピュータもしくは携帯電話等のスピーカ装置１の外部に設置される外部機器３０（図６参照）との間で無線通信ができるような構成とされている。なお、無線通信に限定されるものではなく、有線通信可能な構成としても良い。具体的には、液晶パネルユニット２の各振動部１５と特定の外部機器３０とを対応づけてスピーカ装置１と外部機器３０との通信が行われる。本実施の形態では、振動部１５と外部機器３０とを１対１対応で通信させており、振動部１５の数と同数の外部機器３０と通信を行うことが可能である。なお、１つの振動部１５に複数の外部機器３０を対応させるような形態で通信を行うようにしても良い。逆に、複数の振動部１５を１つの外部機器３０と対応させるような形態で通信を行うようにしても良い。
【００４３】
スピーカ装置１には、外部機器３０との間で通信するための不図示の通信回路が設けられている。この不図示の通信回路を介して各振動部１５に対応する信号がスピーカ装置１と外部機器３０との間で送受信されることで、外部機器３０がいずれの振動部１５と対応しているのかが特定される。具体的には、各振動部１５に対応する制御信号を外部機器３０との間で送受信させることで、通信回路を制御し、外部機器３０と振動部１５との対応づけが行われている。
【００４４】
スピーカ装置１と外部機器３０との間で通信を行う目的として、たとえば、スピーカ装置１側での何らかの操作で、複数の外部機器を一元的に管理することが挙げられる。具体的には、各振動部１５に触れることで、当該振動部１５と対応する外部機器３０の現在の状態（たとえば、画質、音質および／もしくは電池残量等）を把握できるようにすることを目的としている。
【００４５】
より具体的には、図５に示すように、ユーザが振動部１５に触れた際に、たとえば、その振動部１５が大きな振動数（たとえば、１０００〜５０００Ｈｚの範囲内）で振動した場合には対応する外部機器３０の状態が良好であることが把握できる。一方、触れられた振動部１５が小さな振動数（たとえば、５０〜１００Ｈｚの範囲内）で振動した場合には対応する外部機器３０の状態が良好でないことが把握できる。なお、画質の状態の判別方法としては、たとえば、解像度が１３００×７００より大きいか否かを基準とすることができる。また、音質の状態の判別方法としては、たとえば、ビットレートが１６０kbpsより大きいか否かを基準とすることができる。さらに、電池残量の状態の判別方法としては、電池残量が半分以上であるか否かを基準とすることができる。しかしながら、画質、音質および電池残量の判別方法や判別基準は適宜、用途に応じて設定することが好ましい。
【００４６】
ここで、複数（たとえば３つ）の振動部１５に対して１つの外部機器３０が対応している場合には、対応する複数の振動部１５のうちの１つを画質の把握として用い、対応する他の振動部１５のうちの１つを音質の把握として用い、残りの対応する振動部１５を電池残量の把握として用いることができる。また、振動部１５と外部機器３０が１対１で対応している場合は、対応する振動部１５をたとえば電池残量の状態のみの把握として用いることができる。また、この場合、対応する振動部１５を触れる順番によって、たとえば、１回目は画質を表し、２回目は音質を表し、３回目は電池残量を表すことによって、１つの振動部１５において、外部機器３０に対する複数（３つ）の状態を把握できるような構成としても良い。
【００４７】
また、振動部１５に触れると、外部機器３０の状態が数値として振動部１５または他の表示手段に表示されるような構成としても良い。なお、外部機器３０の状態を把握する方法は、振動数によるものに限定されるものではなく、たとえば、振動部１５の振幅の大小や画像の明暗等、他の方法によって把握するようにしても良い。このように、外部機器３０の状態を把握する方法は、適宜、用途に応じて調節することが可能である。
【００４８】
次に、スピーカ装置１および外部機器３０の駆動システム４０について説明する。
【００４９】
図６は、スピーカ装置１および外部機器３０の駆動システム４０の構成を示す図である。
【００５０】
駆動システム４０は、主に、液晶パネルユニット２と接続される制御部４１と、画像や動画を記憶するメモリを備えるメモリ装置等に代表されるプレーヤ４２と、外部機器３０を含んだ通信ユニットとなる外部ユニット４４とを有する。プレーヤ４２には、画像や動画が記憶されており、当該記憶されている画像や動画の画像信号と音声信号は、制御部４１を介して、適切な信号に変換される。そして、変換された画像信号と音声信号に基づいて、スピーカ装置１における液晶パネルユニット２の表示画面１４に画像が表示されると共に各駆動部９が駆動する。
【００５１】
制御部４１は、信号処理部４５と、ビデオデコーダ４６と、オーディオデコーダ４７と、アンプ５０と、チャンネル５１と、端子部５２と、通信部５３と、通信制御部５４を有する。また、外部ユニット４４は、外部機器３０と、外部機器通信部５５を有する。
【００５２】
信号処理部４５は、プレーヤ４２から送信された画像信号と音声信号に基づいて信号処理を行うと共に、液晶パネルユニット２で検出された検出信号に基づいて信号処理を行う部分である。ビデオデコーダ４６は、信号処理部４５から出力されたエンコード後の画像信号をデコードする部分である。また、オーディオデコーダ４７は、音声再生手段として機能し、信号処理部４５から出力されたエンコード後の音声信号をデコードし、さらに当該信号をデジタル信号からアナログ信号に変換する部分である。
【００５３】
アンプ５０は、オーディオデコーダ４７から入力された音声信号を増幅する部分である。チャンネル５１は、信号処理部４５の切り替え制御に基づいて、駆動部９に音声信号を送信する部分である。端子部５２は、複数の駆動部９から各チャンネル５１を形成するための配線接続が行われる部分である。なお、操作部５６の操作に応じた画像信号もしくは音声信号が信号処理部４５に入力されると、その入力された画像信号もしくは音声信号に基づいて、ビデオデコーダ４６およびオーディオデコーダ４７でのデコード処理の制御、アンプ５０の増幅率の制御、並びに、チャンネル５１の切り替え制御が行われる。
【００５４】
通信部５３は外部ユニット４４における外部機器通信部５５との間で信号の送受信を行う部分である。通信制御部５４は、通信部５３が受信した信号に応じて信号処理部４５における通信信号の信号処理の制御、ビデオデコーダ４６もしくはオーディオデコーダ４７でのデコード処理の制御、アンプ５０の増幅率の制御およびチャンネル５１の切り替え制御を行うと共に、通信部５３から送信される信号の制御を行う部分である。外部機器通信部５５は、制御部４１における通信部５３との間で信号の送受信を行う部分である。
【００５５】
次に、駆動システム４０の各種動作について説明する。
【００５６】
まず、液晶パネルユニット２の表示画面１４（液晶画面２２）全体に１つの画像を表示し、一般のスピーカ装置として使用する場合の駆動システム４０の動作について説明する。なお、本実施の形態では、スピーカ装置１に配置されている９６個の各駆動部９は、各端子部５２を介してそれぞれ対応するチャンネル５１に接続される。各チャンネル５１の配線は、端子部５２にそれぞれ接続されている。
【００５７】
スピーカ装置１が作動される場合、プレーヤ４２から画像信号と音声信号が信号処理部４５に送信される。そして、信号処理部４５に送信された画像信号と音声信号が、信号処理部４５にて適切な信号に処理される。さらに、処理された画像信号が信号処理部４５からビデオデコーダ４６に入力されると共に、処理された音声信号が信号処理部４５からオーディオデコーダ４７に入力される。ビデオデコーダ４６では、信号処理部４５から出力されたエンコードされた画像信号がデコードされ、該デコードされた画像信号は不図示のドライバを介して液晶パネルユニット２の液晶表示部２１に送信される。そして、送信された画像信号に基づく画像が液晶表示部２１の液晶画面２２に表示される。
【００５８】
オーディオデコーダ４７では、信号処理部４５から出力されたエンコードされた音声信号がデコードされ、当該信号がデジタル信号からアナログ信号に変換される。そして、変換された信号が、各アンプ５０に入力され、各アンプ５０において音声信号が各アンプ５０の増幅率に基づいて増幅される。そして、各アンプ５０からの音声信号が、各チャンネル５１に入力される。各チャンネル５１は、信号処理部４５の切り替え制御に基づいて、端子部５２に音声信号を送信する。そして、端子部５２から各チャンネル５１によって切り替え制御された音声信号が各駆動部９に送信され、液晶パネルユニット２から音声が出力される。なお、音声の出力において、各駆動部９はチャンネル５１の制御を受ける。
【００５９】
次に、ユーザが液晶パネルユニット２に触れた際に、触れられた振動部１５から音声を出力する場合の駆動システム４０の動作について説明する。
【００６０】
まず、ユーザに液晶パネルユニット２を触れる動作を起こさせるために、操作部５６の操作によって、予め各振動部１５に種々の画像を表示しておくのが好ましい。各振動部１５に表示される画像の情報は、たとえば、プレーヤ４２内のメモリに記憶されており、該プレーヤ４２からその情報が画像信号として信号処理部４５に送信される。さらに、ユーザによる操作部５６の操作により、当該操作部５６から信号処理部４５に信号が送信されると、信号処理部４５からビデオデコーダ４６にエンコードされた画像信号が送信される。ビデオデコーダ４６では、入力された画像信号がデコードされ、該デコードされた画像信号は液晶パネルユニット２の液晶表示部２１に送信される。そして、液晶パネルユニット２の表示画面１４（液晶画面２２）に複数の画像が表示される。この複数の画像は、各振動部１５に対応する形態で表示される。なお、液晶パネルユニット２の表示画面１４（液晶画面２２）全体に１つの画像が表示させるようにしても良い。
【００６１】
各振動部１５に種々の画像が表示されている状態で、ユーザが振動部１５に表示されている好みの画像に触れると、液晶パネルユニット２においてユーザの指が触れた位置（振動部１５）が特定され、上述した分圧の検出値に応じた検出信号が信号処理部４５に送信される。すると、送信された検出信号に対応する音声信号がプレーヤ４２から信号処理部４５に送信され、信号処理部４５は、該送信された音声信号をエンコードした後、オーディオデコーダ４７に送信する。オーディオデコーダ４７では、信号処理部４５から送信された音声信号がデコードされ、当該信号がデジタル信号からアナログ信号に変換される。そして、変換された信号が、ユーザの触れた振動部１５に対応するアンプ５０に入力され、該アンプ５０において音声信号がアンプ５０の増幅率に基づいて増幅される。
【００６２】
そして、該アンプ５０からの音声信号が、ユーザの触れた振動部１５に対応するチャンネル５１に入力される。チャンネル５１は、検出信号に応じた信号処理部４５の切り替え制御に基づいて、端子部５２に音声信号を送信する。そして、端子部５２から該チャンネル５１によって切り替え制御された音声信号が、対応する振動部１５を駆動させる駆動部９に送信され、ユーザの触れた振動部１５から音声が出力される。
【００６３】
なお、ユーザによって複数の振動部１５が同時に触れられると、上述と同様な制御によって、ユーザによって触れられた各振動部１５から、各振動部１５に表示された画像に対応する音声が出力される。また、スピーカ装置１の液晶パネルユニット２の表示画面１４全体に１つの画像を表示する一般のスピーカ装置として使用している状態で、ユーザが特定の振動部１５に触れると、該振動部１５に対応する駆動部９が駆動され、ユーザが触れた振動部１５から音声が出力される。この際には、ユーザの触れた振動部１５に対応する駆動部９のみを駆動させ、ユーザによって触れられた振動部１５のみから音声を出力するように制御しても良い。また、他の駆動部９と、ユーザによって触れられた振動部１５に対応する駆動部９の双方を同時に駆動させるようにしても良い。この場合、ユーザによって触れられた振動部１５に対応する駆動部９を他の駆動部９よりも大きく駆動させるようにするのが好ましい。
【００６４】
次に、ユーザが液晶パネルユニット２に触れることで、外部機器３０の状態を把握する場合の駆動システム４０の動作について説明する。
【００６５】
まず、ユーザは操作部５６の操作によって外部機器３０の状態を把握できるモードに切り替える。すると、操作部５６からの信号が信号処理部４５に入力される。そして、各振動部１５に、たとえば、種々の画像が表示されている状態で、ユーザが状態を把握したい外部機器３０に対応する振動部１５に触れると、液晶パネルユニット２においてユーザの指が触れた位置（振動部１５）が特定され、上述した分圧の検出値に応じた検出信号が信号処理部４５に送信される。すると、操作部５６から入力された信号に基づいて、信号処理部４５は、上述の検出信号に対応する信号を、通信制御部５４に送信する。そして、通信制御部５４の制御に基づいて、通信信号が通信部５３から外部ユニット４４側に送信される。具体的には、上述した不図示の通信回路の制御に基づいて、ユーザが状態を把握したい外部機器３０に接続される外部機器通信部５５に、通信信号が送信される。すなわち、ユーザが触れた振動部１５に対応する外部機器３０に接続される外部機器通信部５５に、通信信号が送信される。
【００６６】
上述したように、ユーザが状態を把握したい外部機器３０に接続される外部機器通信部５５は、通信部５３から送信された通信信号を受信する。すると、対応する外部機器３０の状態に関する情報（たとえば、携帯電話の電池残量）が対応する外部機器３０から該外部機器３０に接続される外部機器通信部５５に送信される。そして、当該情報が外部機器通信部５５において通信信号に変換され、再度、制御部４１側の通信部５３に送信される。通信部５３が外部機器通信部５５から受信した通信信号は、所定の変換処理を行った後に、またはそのまま信号処理部４５に送信される。
【００６７】
すると、信号処理部４５は、受信した信号をエンコードした後、オーディオデコーダ４７に送信する。オーディオデコーダ４７では、信号処理部４５から送信された通信信号がデコードされ、当該信号がデジタル信号からアナログ信号に変換される。そして、変換された信号が、ユーザの触れた振動部１５に対応するアンプ５０に入力され、該アンプ５０において通信信号がアンプ５０の増幅率に基づいて増幅される。
【００６８】
そして、該アンプ５０からの信号が、ユーザの触れた振動部１５に対応するチャンネル５１に入力される。チャンネル５１は、信号処理部４５の切り替え制御に基づいて、端子部５２に通信信号を送信する。そして、端子部５２から該チャンネル５１によって切り替え制御された通信信号が、ユーザの触れた振動部１５に対応する駆動部９に送信される。その結果、ユーザの触れた振動部１５が振動する。ここで、対応する外部機器３０の状態が良好であるとき（たとえば、携帯電話の電池残量が半分以上のとき）、通信制御部５４の制御により、ユーザの触れた振動部１５は大きな振動数で振動し、対応する外部機器３０の状態が良好でないとき（たとえば、携帯電話の電池残量が半分以下のとき）、通信制御部５４の制御により、ユーザの触れた振動部１５は小さな振動数で振動する。
【００６９】
なお、本実施の形態では、外部機器３０の状態を把握する場合、プレーヤ４２から信号処理部４５に音声信号は送信されず、液晶パネルユニット２から音声は出力されない。なお、外部機器３０の状態を把握する場合に、振動に加え音声を出力させるようにしても構わない。なお、上述したように、外部機器３０の状態を把握する方法は、振動数によるものに限定されるものではなく、たとえば、振動部１５が振動する際の振幅の大きさや画像の明暗、画像の移動、画像の切り替わりにより判別する等、他の方法によって把握するようにしても良い。
【００７０】
以上のように構成されたスピーカ装置１では、液晶パネルユニット２の表示画面１４全体に１つの画像を表示し一般のスピーカ装置として使用する場合、ユーザが特定の振動部１５に触れると、該振動部１５から音声が出力される。このため、ユーザは単に画面を見て画像や音声を楽しむだけでなく、手で液晶パネルユニット２を触れて物理的に楽しむことも可能となる。
【００７１】
また、スピーカ装置１では、各振動部１５から異なる音声を出力させることが可能である。このため、液晶パネルユニット２上の各振動部１５に異なる画像を表示しておき、ユーザが各振動部１５に触れた場合、触れられた振動部１５に表示されている画像に対応する音声を出力させることができる。したがって、複数のユーザが同時に種々の音楽を楽しむことができる。たとえば、スピーカ装置１をショッピングモールやＣＤ売り場等に配置させ、液晶パネルユニット２上の各振動部１５に異なるＣＤのジャケットを表示しておけば、ユーザが各振動部１５に触れることで、触れられた振動部１５に表示されているＣＤジャケットに対応する音声を楽しむことが可能となる。
【００７２】
また、スピーカ装置１では、各振動部１５から異なる音声を出力させることが可能であるため、各振動部１５から異なる音程の音を出力させるように設定しておけば、スピーカ装置１を楽器の一種として使用することができる。
【００７３】
また、スピーカ装置１は、たとえば、アンプ、スピーカ、パーソナルコンンピュータもしくは携帯電話等の外部機器３０との間で通信し、外部機器３０の状態を把握することができる構成とされている。このため、スピーカ装置１側の操作で、複数の外部機器を一元的に管理することができる。具体的には、各振動部１５と外部機器３０とを対応させ、振動部１５に触れた際の振動数によって、該振動部１５に対応する外部機器３０の現在の状態を把握できる。したがって、ユーザが振動部１５を触れただけで感覚的に対応する外部機器３０の状態を素早く把握することができる。
【００７４】
以上、本発明の一実施の形態について説明したが、本発明は上述の形態に限定されることなく、種々変形した形態にて実施可能である。
【００７５】
上述の実施の形態では、液晶パネルユニット２における振動部１５は、格子状に区分されているが、振動部１５は当該形態で区分することに限定されるものではなく、たとえば、振動部１５を、図７に示すように、斜線によって区分された振動部６０としても良い。また、図８に示しように、液晶パネルユニット２の左右両側から中央に向かって径の異なる円弧で区分された振動部６１としても良い。さらに、図９に示すように、液晶パネルユニット２を左右方向に亘って上下方向に沿う直線で区分された振動部６２としても良い。なお、駆動部９は各振動部６０，６１，６２に対して単数設けても良いし、複数設けても良い。
【００７６】
また、上述の実施の形態では、駆動部９は液晶パネルユニット２の表示画面１４において同時に駆動するか、もしくは、ユーザの触れた振動部１５が駆動するような構成とされているが、このような駆動方法に限定されるものではなく、たとえば、図１０に示すように、画像内の登場人物が図１０中の矢示Ｂ方向に移動する場合、その移動に合わせて、順次、振動部６０の駆動部９を駆動させて音声を出力するようにしても良い。また、登場人物の移動方向と相反する方向（矢示Ｂ方向と逆方向）に向かって振動部６０から音声を出力させるようにしても良い。
【００７７】
また、上述の実施の形態では、ユーザが触れた振動部１５から音声が出力される構成とされているが、このような構成に限定されるものではなく、たとえば、ユーザが触れた振動部１５と隣接する振動部１５からも同時に音声が出力される構成としても良い。また、図１１に示すように、離れている複数の振動部１５から同時に音声を出力させるようにしても良い。
【００７８】
また、スピーカ装置１を、図１２に示すように、たとえば、２つ並べて配置させた場合、一方のスピーカ装置１の振動部１５を触れることによって対応する他方の振動部１５の状態を把握できるような構成としても良い。また、一方のスピーカ装置１の１つの振動部１５に対して、他方のスピーカ装置１の複数の振動部１５の状態を把握できるような構成としても良い。また、スピーカ装置１を、３つ以上並べて配置させ、１つのスピーカ装置１によって残りの複数のスピーカ装置１の状態を把握できるような構成としても良い。
【００７９】
また、図１３に示すように、４つのスピーカ装置１を、内側が十字に仕切られた十字枠６３によって接合させることで、大型のスピーカ装置を構成させるようにしても良い。また、４つ以上のスピーカ装置１を接合させるようにしても良い。
【００８０】
また、上述の実施の形態では、各振動部１５に対応するように駆動部９が配置されているが、駆動部９を液晶パネルユニット２中の一部の振動部１５にのみ配置させるようにしても良い。また、チャンネル５１およびアンプ５０は、振動部１５の数と同じ数だけ配設されているが、これに限ることなく、振動部１５の数と異なる数のチャンネル５１およびアンプ５０を配設するようにしても良い。
【００８１】
また、上述の実施の形態では、スピーカ装置１は、液晶パネルユニット２における液晶表示部２１の液晶画面２２に画像を表示させる構成とされているが、このような構成に限定されるものではなく、たとえば、液晶パネルユニット２を、液晶表示部２１を有さないタッチパネル部２０のみで構成し、該タッチパネル部２０にプロジェクタを用いて影像を投射する投射型のスピーカ装置１としても良い。このように構成した場合には、プレーヤ４２に記憶されている画像信号を、信号処理部４５を介してプレーヤ４２からプロジェクタに入力させる構成を採用することができる。
【００８２】
また、液晶表示部２１の液晶画面２２に表示されている画像をアイコンとして使用し、ユーザが当該画像に触れると、順次、画像が変化するような構成としても良い。
【００８３】
また、上述の実施の形態では、タッチパネル部２０は液晶表示部２１の表側に全面にわたって設けられているが、このような構成に限定されるものではなく、タッチパネル部２０を液晶表示部２１の表側の一部に設けるようにしても良い。
【００８４】
また、上述の実施の形態では、液晶表示部２１が振動板を構成しているが、このような構成に限定されるものではなく、液晶表示部２１の裏側に振動板を設け、液晶パネルユニット２とは別に振動板を有するような構成としても良い。また、液晶パネルユニット２全体が振動板を構成するようにしても良い。
【００８５】
また、上述の実施の形態では、操作部５６からの信号は、直接、信号処理部４５に入力されるような構成を有しているが、このような構成に限定されるものではなく、たとえば、操作部５６と信号処理部４５との間に操作制御部を設け、該操作制御部の制御によって信号処理部４５、ビデオデコーダ４６、オーディオデコーダ４７、アンプ５０およびチャンネル５１の制御を行うようにしても良い。
【符号の説明】
【００８６】
１…スピーカ装置  ２…液晶パネルユニット  ３…フレーム  ９…駆動部  １５…振動部（接触位置）  ２０…タッチパネル部（タッチパネル）  ２１…液晶表示部（振動板、表示部）  ３０…外部機器  ４１…制御部  ５１…チャンネル
【図１】
2011123696.tif 000003
【図２】
2011123696.tif 000004
【図３】
2011123696.tif 000005
【図４】
2011123696.tif 000006
【図５】
2011123696.tif 000007
【図６】
2011123696.tif 000008
【図７】
2011123696.tif 000009
【図８】
2011123696.tif 000010
【図９】
2011123696.tif 000011
【図１０】
2011123696.tif 000012
【図１１】
2011123696.tif 000013
【図１２】
2011123696.tif 000014
【図１３】
2011123696.tif 000015